(57)【要約】【課題】有害生物に対して優れた防除効果を発揮する有害生物の防除方法を提供すること。【解決手段】イミダクロプリド及びフルオピラムを含む粒剤を、土壌混和処理する工程を有することを特徴とする有害生物の防除方法。【選択図】なし【特許請求の範囲】
【請求項１】
イミダクロプリド及びフルオピラムを含む粒剤を、土壌混和処理する工程を有することを特徴とする有害生物の防除方法。
【請求項２】
イミダクロプリドと、フルオピラムとの重量比が、２０：１〜１：２００の範囲である請求項１に記載の有害生物の防除方法。
【請求項３】
イミダクロプリド及びフルオピラムを含む粒剤を土壌混和処理する工程と、作物の栄養器官を植え付ける工程とを有し、これらの工程をこの順序で実施する請求項１又は２に記載の有害生物の防除方法。
【請求項４】
作物の栄養器官がジャガイモの塊茎又はサツマイモのつるである請求項３に記載の有害生物の防除方法。
【発明の詳細な説明】
【技術分野】
【０００１】
本発明は、有害生物の防除方法に関する。
【背景技術】
【０００２】
昆虫類を始めとする節足動物や線虫類等、作物を加害する有害生物に対して防除効果を有する種々の薬剤が知られている（例えば、特許文献１、２及び３、並びに、非特許文献１参照。）。しかしながら、これらの薬剤を用いる有害生物の防除方法において、十分な効果が得られないことがあった。
【先行技術文献】
【特許文献】
【０００３】
【特許文献１】欧州特許出願公開第０５８０５５３号明細書
【特許文献２】欧州特許出願公開第０２９５１１７号明細書
【特許文献３】国際公開第２０１０／１２９５００号
【非特許文献】
【０００４】
【非特許文献１】Ｔｈｅ  Ｐｅｓｔｉｃｉｄｅ  Ｍａｎｕａｌ−１６ｔｈ  ｅｄｉｔｉｏｎ（ＢＣＰＣ刊）；ＩＳＢＮ  ９７８−１−９０１３９６−８６−７
【発明の概要】
【発明が解決しようとする課題】
【０００５】
本発明は、有害生物に対して優れた防除効果を発揮する有害生物の防除方法を提供することを課題とする。
【課題を解決するための手段】
【０００６】
本発明者は、上記課題を解決すべく検討した結果、下記化合物群（Ａ）より選ばれる１種以上の化合物及び下記化合物群（Ｂ）より選ばれる１種以上の化合物を含む粒剤を、土壌混和処理することにより、有害生物に対する防除効果が向上することを見出した。
すなわち、本発明は以下の［１］〜［５］の通りである。
［１］  下記化合物群（Ａ）より選ばれる１種以上の化合物及び下記化合物群（Ｂ）より選ばれる１種以上の化合物を含む粒剤を、土壌混和処理する工程を有することを特徴とする有害生物の防除方法。
化合物群（Ａ）：クロチアニジン、チアメトキサム、イミダクロプリド及びフィプロニルからなる群。
化合物群（Ｂ）：フルオピラム及び下記式（１）で示される化合物からなる群。
2019037250.tif 000002
［２］  前記化合物群（Ａ）より選ばれる１種以上の化合物と、前記化合物群（Ｂ）より選ばれる１種以上の化合物との重量比が、２０：１〜１：２００の範囲である［１］に記載の有害生物の防除方法。
［３］  土壌混和処理する工程が、前記粒剤を、土壌表面からの深さが８０ｃｍまでの範囲の土壌と混和する工程である［１］又は［２］に記載の有害生物の防除方法。
［４］  作物を植え付ける工程を有する［１］〜［３］の何れか１項に記載の有害生物の防除方法。
［５］  作物を植え付ける工程が、深さ２〜６０ｃｍの範囲の植穴又は植溝に作物を植え付ける工程である［４］に記載の有害生物の防除方法。
［６］  前記化合物群（Ａ）より選ばれる１種以上の化合物及び前記化合物群（Ｂ）より選ばれる１種以上の化合物を含む粒剤が、前記化合物群（Ａ）より選ばれる１種以上の化合物を含む粒剤と、前記化合物群（Ｂ）より選ばれる１種以上の化合物を含む粒剤との混合物である［１］〜［５］いずれか一に記載の有害生物の防除方法。
【発明を実施するための形態】
【０００７】
本発明は、前記化合物群（Ａ）より選ばれる１種以上の化合物（以下、本化合物Ａと記す。）及び前記化合物群（Ｂ）より選ばれる１種以上の化合物（以下、本化合物Ｂと記す。）を含む粒剤を土壌混和処理する工程を有する。まず、本発明において用いられる本化合物Ａ及び本化合物Ｂについて説明する。クロチアニジン、チアメトキサム、イミダクロプリド、フィプロニル及びフルオピラムは何れも公知の化合物であり、例えば「Ｔｈｅ  Ｐｅｓｔｉｃｉｄｅ  Ｍａｎｕａｌ−１６ｔｈ  ｅｄｉｔｉｏｎ（ＢＣＰＣ刊）；ＩＳＢＮ  ９７８−１−９０１３９６−８６−７」の２２５、１１０４、６４０、４９１及び５２８に記載されている。これらの化合物は市販の製剤から得るか、公知の方法で製造することにより得られる。
また、式（１）で示される化合物（以下、本化合物（１）と記す。）も公知の化合物であり、国際公開第２０１０／１２９５００号等に記載された方法で製造することができる。
【０００８】
本発明において用いられる本化合物Ａ及び本化合物Ｂを含む粒剤（以下、本粒剤と記す。）は、公知の製造法により製造することができる。公知の製造法としては、例えば、転動造粒、噴霧造粒、押し出し造粒等の造粒法、及び含浸法が挙げられる。本粒剤における本化合物Ａ及び本化合物Ｂの合計含有量は、通常０．０２〜３０重量％、好ましくは０．０４〜２０重量％、更に好ましくは０．１〜１５重量％の範囲である。また、本粒剤は、本化合物Ａを含む粒剤（以下、本粒剤Ａと記す。）及び本化合物Ｂを含む粒剤（以下、本粒剤Ｂと記す。）の混合物でもよい。その場合、本粒剤Ａにおける本化合物Ａの含有量及び本粒剤Ｂにおける本化合物Ｂの含有量は、それぞれ通常０．０１〜３０重量％、好ましくは０．０２〜２０重量％、更に好ましくは０．０５〜１５重量％の範囲である。
【０００９】
本発明は、本粒剤を、作物を栽培する土壌に処理することにより有害生物を防除する方法に関し、その処理形態が、土壌混和（ｓｏｉｌ  ｉｎｃｏｒｐｏｒａｔｉｏｎ）であることを特徴とする。土壌混和としては、植穴処理土壌混和（ｐｒｉｃｋｉｎｇ−ｉｎ  ｈｏｌｅ  ｔｒｅａｔｍｅｎｔ （ｓｏｉｌ  ｉｎｃｏｒｐｏｒａｔｉｏｎ））、植溝処理土壌混和（ｐｌａｎｔｉｎｇ ｆｕｒｒｏｗ  ｔｒｅａｔｍｅｎｔ （ｓｏｉｌ  ｉｎｃｏｒｐｏｒａｔｉｏｎ））、作条処理土壌混和（ｐｌａｎｔｉｎｇ  ｒｏｗ  ｔｒｅａｔｍｅｎｔ （ｓｏｉｌ  ｉｎｃｏｒｐｏｒａｔｉｏｎ））及び全面処理土壌混和（ｂｒｏａｄｃａｓｔ  ｔｒｅａｔｍｅｎｔ （ｓｏｉｌ  ｉｎｃｏｒｐｏｒａｔｉｏｎ））等を例示することができる。ここで、植穴処理土壌混和（植穴土壌混和ということもある。）とは、作物を植え付けるために土壌に開けた穴（植穴）へ本粒剤を置き、植穴の底の土壌と混和する形態を指し、植溝処理土壌混和（植溝土壌混和ということもある。）とは、作物を植え付けるために土壌に形成した溝（植溝）へ本粒剤を置き、植溝の底の土壌と混和する形態を指す。作条処理土壌混和（作条土壌混和ということもある。）とは、作物を植え付ける土壌表面へ本粒剤をすじ状に置き、表層土と混和する形態を指す。また、全面処理土壌混和（全面土壌混和ということもある。）とは、作物を植え付ける土壌表面全面へ本粒剤を置き、表層土と混和する形態を指す。本発明において、表層土（ｓｕｒｆａｃｅ  ｓｏｉｌ）とは作物を栽培する土壌の最上部の土壌層であり、作物を栽培するために掘り返す土壌層を意味する。本発明においては、土壌混和の中でも、植溝処理土壌混和、作条処理土壌混和及び全面処理土壌混和が好ましく、全面処理土壌混和が更に好ましい。また、作条処理土壌混和及び全面処理土壌混和の場合、土壌表面からの深さ（深度）が８０ｃｍまでの範囲の土壌に本化合物Ａ及び本化合物Ｂが存在するように混和する態様が好適である。前記の土壌表面からの深さは、好ましくは０〜６０ｃｍ、更に好ましくは０〜３０ｃｍ、更にいっそう好ましくは０〜７ｃｍの範囲である。
【００１０】
本発明において、本粒剤の処理量は、作物の種類、防除対象である有害生物の種類や発生程度、処理時期、気象条件等によって変わり得るが、本化合物Ａ及び本化合物Ｂの合計量として、作物を栽培する土地１０００ｍ2あたり、通常０．１〜５０００ｇ、好ましくは１〜２０００ｇ、更に好ましくは１０〜１５００ｇの範囲である。
また、本化合物Ａと本化合物Ｂと重量比が、通常２０：１〜１：２００、好ましくは１０：１〜１：１００、更に好ましくは２：１〜１：５０、更にいっそう好ましくは２：１〜１：２０の範囲になるように処理する。
【００１１】
本発明は、作物を植え付ける工程を有する態様を含み、上記のように、本粒剤を土壌混和処理する工程（以下、工程１と記す。）を実施し、次いで、作物を植え付ける工程（以下、工程２と記す。）を実施する。本発明が工程２を有する場合、本発明により、作物を加害する有害生物を防除することができる。かかる作物としては、例えば、以下の作物が挙げられる。
農作物：トウモロコシ、イネ、ワタ、ダイズ（エダマメを含む）、ラッカセイ、テンサイ、ナタネ、ヒマワリ、サトウキビ、タバコ等。
野菜：ナス科野菜（ナス、トマト、ピーマン、ジャガイモ、トウガラシ等）、ウリ科野菜（キュウリ、カボチャ、スイカ、メロン、マクワウリ、ニガウリ、トウガン、シラウリ、ズッキーニ等）、アブラナ科野菜（セイヨウワサビ、コールラビ、ハクサイ、キャベツ、カラシナ、ブロッコリー、カリフラワー、アブラナ等）、キク科野菜（シュンギク、レタス等）、ユリ科野菜（ネギ、ニラ、タマネギ、ニンニク、ラッキョウ、ワケギ、アスパラガス等）、セリ科野菜（ニンジン、パセリ、セロリ、アメリカボウフウ等）、アカザ科野菜（ホウレンソウ、フダンソウ等）、シソ科野菜（シソ、ミント、バジル等）、イチゴ、サツマイモ、ヤマノイモ、ナガイモ、サトイモ、コンニャク、イチョウイモ、ハス、ショウガ等。
果樹：仁果類（リンゴ、セイヨウナシ、ニホンナシ、カリン、マルメロ等）、核果類（モモ、スモモ、ネクタリン、ウメ、オウトウ、アンズ、プルーン等）、カンキツ類（ウンシュウミカン、オレンジ、レモン、ライム、グレープフルーツ等）、堅果類（クリ、クルミ、ハシバミ、アーモンド、ピスタチオ、カシューナッツ、マカダミアナッツ等）、液果類（ブルーベリー、クランベリー、ブラックベリー、ラズベリー等）、ブドウ、カキ、オリーブ、ビワ、バナナ、コーヒー、ナツメヤシ、ココヤシ、アブラヤシ等。
果樹以外の樹木：チャ、クワ、花木類（ツツジ、ボタン、サツキ、ツバキ、アジサイ、サザンカ、シキミ、サクラ、ユリノキ、サルスベリ、キンモクセイ等）、街路樹（トネリコ、カバノキ、ハナミズキ、ユーカリ、イチョウ、ライラック、カエデ、カシ、ポプラ、ハナズオウ、フウ、プラタナス、ケヤキ、クロベ、モミノキ、ツガ、ネズ、マツ、トウヒ、イチイ、ニレ、トチノキ等）、サンゴジュ、イヌマキ、スギ、ヒノキ、クロトン、マサキ、カナメモチ等。
花卉：チューリップ、ユリ、アヤメ、ペチュニア、キク、トルコギキョウ、ガーベラ、カーネーション等。
上記の作物の中でも、ジャガイモ、サツマイモ、サトイモ、ヤマノイモ、キュウリ、メロン、カボチャ、スイカ、トマト、ナス、ピーマン、イチゴ、キャベツ、ネギ、ニラ及びエダマメが好ましく、特にジャガイモ及びサツマイモが好ましい。
【００１２】
上記の作物は、遺伝子組換え技術や交配による古典的な育種法によって、除草剤耐性、有害生物への耐性あるいは環境ストレス耐性を付与された作物であってもよい。
【００１３】
本発明は、殊に、作物の栄養器官又は苗を植え付けて栽培する場合の有害生物の防除方法として好適である。ここで、栄養器官とは、苗条及び根、又はその一部を意味し、本発明においては、葉及び茎を総称して苗条（ｓｈｏｏｔ）という。かかる栄養器官としては、具体的には、塊根（ｔｕｂｅｒｏｕｓ  ｒｏｏｔ）、鱗茎（ｂｕｌｂ）、球茎（ｃｏｒｍ又はｓｏｌｉｄ  ｂｕｌｂ）、塊茎（ｔｕｂｅｒ）、根茎（ｒｈｉｚｏｍｅ）、匍匐枝（ｓｔｏｌｏｎ）、担根体（ｒｈｉｚｏｐｈｏｒｅ）、むかご（ｐｒｏｐａｇｕｌｅ）及びつる（ｖｉｎｅ  ｃｕｔｔｉｎｇ）が挙げられる。なお、匍匐枝は、ランナー（ｒｕｎｎｅｒ）と呼ばれることもあり、むかごは、肉芽（ｂｒｏａｄ  ｂｕｄ）や珠芽（ｂｕｌｂｉｌ）と呼ばれることもある。また、つるとは、サツマイモやヤマノイモ等の苗条である。本発明においては、実生苗（ｓｅｅｄｌｉｎｇ）及び苗木（ｓａｐｌｉｎｇ）を総称して苗といい、その葉齢が、通常本葉１葉期〜１５葉期の範囲の幼植物を指し、好ましくは本葉１葉期〜５葉期、更に好ましくは本葉１．５葉期〜３葉期の範囲である。
また、本発明においては、ジャガイモの塊茎又はサツマイモのつるを植え付ける実施態様が好適である。
【００１４】
作物を植え付ける方法を、土壌混和の形態毎に具体的に説明する。土壌混和の形態が植穴処理土壌混和の場合、本粒剤と植穴の底の土壌とを混和した後、その植穴に作物を植え付ける。植穴の深さは、通常２〜６０ｃｍ、好ましくは２〜４０ｃｍ、更に好ましくは２〜２０ｃｍの範囲である。植溝処理土壌混和の場合には、本粒剤と植溝の底の土壌とを混和した後、その植溝に作物を植え付ける。植溝の深さは、通常２〜６０ｃｍ、好ましくは２〜４０ｃｍ、更に好ましくは２〜２０ｃｍの範囲である。作条処理土壌混和の場合には、すじ状に置いた本粒剤と表層土とを混和した後、必要に応じて畝を立て、土壌に形成した植穴又は植溝に作物を植え付ける。畝を立てる場合は、予め畝を立てておき、当該畝の上に本粒剤をすじ状に置いて土壌混和してもよい。全面処理土壌混和の場合には、本粒剤と表層土とを混和した後、必要に応じて畝を立て、土壌に形成した植穴又は植溝に作物を植え付ける。作条処理土壌混和後又は全面処理土壌混和後に、土壌に形成する植穴又は植溝の深さは、通常２〜６０ｃｍ、好ましくは２〜４０ｃｍ、更に好ましくは２〜２０ｃｍ、更にいっそう好ましくは２〜５ｃｍの範囲である。
【００１５】
また、工程２は、工程１の実施直後から実施後２０日までの間に実施することが好ましく、工程１の実施直後から実施後１０日までの間に実施することが更に好ましい。
【００１６】
本発明は、土壌表面を被覆資材で覆う工程（以下、工程３と記す。）を有する態様を含む。被覆資材としてはプラスチックフィルムの使用が好ましい。被覆資材はマルチ（ｍｕｌｃｈ）やマルチフィルム（ｍｕｌｃｈｉｎｇ  ｆｉｌｍ）等と呼ばれることもあり、具体的には、白色、黒色、緑色及び透明等のポリエチレン製マルチフィルム、表面が銀色で裏面が黒色、及び表面が白色で裏面が黒色等のポリエチレン製二層マルチフィルム、脂肪酸エステル、ポリビニルアルコール、ポリブチルサクシネート、高分子系デンプン又はパルプ等を原料とする生分解性マルチフィルムが挙げられる。本発明においては、黒色のポリエチレン製マルチフィルムの使用が好ましい。被覆資材による被覆を開始する時期は、本粒剤の処理直後から処理後２０日までの間が好ましく、処理直後から処理後１０日までの間が更に好ましく、処理直後が更にいっそう好ましい。
本発明が工程２及び工程３を有する場合、工程を実施する順序としては、通常、工程１に次いで、工程２及び工程３を実施する。工程１を実施した後、工程２に次いで工程３を実施してもよいし、順序を逆転させてもよい。工程２に次いで工程３を実施する場合、工程３は、工程２の実施直後から実施後２０日までの間に実施することが好ましい。工程３に次いで工程２を実施する場合、工程２は、工程３の実施直後から実施後２０日までの間に実施することが好ましく、工程３の実施直後から実施後１０日までの間に実施することが更に好ましい。
【００１７】
以下に、本発明の態様を示す。以下の態様においては、工程１を、粒剤を土壌に置く工程（以下、工程１−１と記す。）、及び粒剤と土壌とを混和する工程（以下、工程１−２と記す。）に分割して説明する。
（I）工程１−１及び工程１−２を別々に実施する方法。
（II）工程１−１及び工程１−２を連続してほぼ同時に実施する方法。
（III）工程１−１、工程１−２及び工程２を連続してほぼ同時に実施する方法。
（IV）工程１−１、工程１−２及び畝を立てる工程を連続してほぼ同時に実施する方法。
（V）工程１−１、工程１−２、畝を立てる工程及び工程３を連続してほぼ同時に実施する方法。
（VI）工程１−１及び工程１−２を別々に実施し、次いで、畝を立てる工程及び工程３を連続してほぼ同時に実施する方法。
（VII）工程１−１及び工程１−２を連続してほぼ同時に実施し、次いで、畝を立てる工程及び工程３を連続してほぼ同時に実施する方法。
工程１−１及び工程１−２を別々に実施する場合、工程１−１に次いで、工程１−２を実施する。工程１−１は、動力散布機、電動式薬剤処理機を搭載したトラクター等の薬剤散布機を使用して実施するか、手作業により実施することができる。工程１−２は、耕耘機、ロータリーを搭載したトラクター等、土壌混和が可能な機械を使用して実施するか、鍬や鋤等を使用して手作業により実施することができる。また、薬剤散布及び土壌混和の同時作業が可能な機械（電動式薬剤処理機及びロータリーを搭載したトラクター等）を使用することにより、工程１−１及び工程１−２を連続してほぼ同時に実施することができる。
工程１−１、工程１−２及び工程２を連続してほぼ同時に実施する方法は、薬剤散布、土壌混和及び移植の同時作業が可能な機械（電動式薬剤処理機を搭載した移植機等）を使用して実施することができる。工程１−１、工程１−２及び畝を立てる工程を連続してほぼ同時に実施する方法は、薬剤散布、土壌混和及び畝立ての同時作業が可能な機械（電動式薬剤処理機及び畝立て機を搭載したトラクター等）を使用して実施することができる。
また、工程１−１、工程１−２、畝を立てる工程及び工程３を連続してほぼ同時に実施する方法は、薬剤散布、土壌混和、畝立て及びマルチ被覆の同時作業が可能な機械（電動式薬剤処理機及びマルチャを搭載したトラクター等）を使用して実施することができる。なお、マルチャとは、畝立て及びマルチ被覆の同時作業が可能な機械の総称であり、マルチャを使用することにより、畝を立てる工程及び工程３を連続してほぼ同時に実施することができる。
【００１８】
本発明においては、１種以上の他の農薬を併用することもできる。他の農薬としては、例えば殺虫剤、殺線虫剤、殺菌剤、除草剤、植物生長調節剤及び薬害軽減剤が挙げられる。他の農薬は本粒剤と同時に処理してもよいし、別々に処理しても何ら差し支えない。
【００１９】
本発明により、有害生物（昆虫類及び線虫類）を防除することができる。かかる有害生物としては、具体的には、以下の有害生物が挙げられる。
【００２０】
半翅目害虫：ヒメトビウンカ（Ｌａｏｄｅｌｐｈａｘ  ｓｔｒｉａｔｅｌｌｕｓ）等のウンカ類、チャノミドリヒメヨコバイ（Ｅｍｐｏａｓｃａ  ｏｎｕｋｉｉ）等のヨコバイ類、ワタアブラムシ（Ａｐｈｉｓ  ｇｏｓｓｙｐｉｉ）、モモアカアブラムシ（Ｍｙｚｕｓ  ｐｅｒｓｉｃａｅ）、ダイコンアブラムシ（Ｂｒｅｖｉｃｏｒｙｎｅ  ｂｒａｓｓｉｃａｅ）、ユキヤナギアブラムシ（Ａｐｈｉｓ  ｓｐｉｒａｅｃｏｌａ）、チューリップヒゲナガアブラムシ（Ｍａｃｒｏｓｉｐｈｕｍ  ｅｕｐｈｏｒｂｉａｅ）、ジャガイモヒゲナガアブラムシ（Ａｕｌａｃｏｒｔｈｕｍ  ｓｏｌａｎｉ）、ムギクビレアブラムシ（Ｒｈｏｐａｌｏｓｉｐｈｕｍ  ｐａｄｉ）、ミカンクロアブラムシ（Ｔｏｘｏｐｔｅｒａ  ｃｉｔｒｉｃｉｄｕｓ）、モモコフキアブラムシ（Ｈｙａｌｏｐｔｅｒｕｓ  ｐｒｕｎｉ）、エンドウヒゲナガアブラムシ（Ａｃｙｒｔｈｏｓｉｐｈｏｎ  ｐｉｓｕｍ）、クワイクビレアブラムシ（Ｒｈｏｐａｌｏｓｉｐｈｕｍ  ｎｙｍｐｈａｅａｅ）、Ａｐｈｉｓ  ｎａｔｕｒｔｉｉ、Ａｐｈｉｓ ｆａｂａｅ等のアブラムシ類、クサギカメムシ（Ｈａｌｙｏｍｏｒｐｈａ  ｍｉｓｔａ）、ターニッシュッドプラントバグ（Ｌｙｇｕｓ  ｌｉｎｅｏｌａｒｉｓ）等のカメムシ類、オンシツコナジラミ（Ｔｒｉａｌｅｕｒｏｄｅｓ  ｖａｐｏｒａｒｉｏｒｕｍ）、タバココナジラミ（Ｂｅｍｉｓｉａ  ｔａｂａｃｉ）、シルバーリーフコナジラミ（Ｂｅｍｉｓｉａ  ａｒｇｅｎｔｉｆｏｌｉｉ）、ミカンコナジラミ（Ｄｉａｌｅｕｒｏｄｅｓ  ｃｉｔｒｉ）、ミカントゲコナジラミ（Ａｌｅｕｒｏｃａｎｔｈｕｓ  ｓｐｉｎｉｆｅｒｕｓ）等のコナジラミ類、アカマルカイガラムシ（Ａｏｎｉｄｉｅｌｌａ  ａｕｒａｎｔｉｉ）、サンホーゼカイガラムシ（Ｃｏｍｓｔｏｃｋａｓｐｉｓ  ｐｅｒｎｉｃｉｏｓａ）等のカイガラムシ類。
鱗翅目害虫：アワノメイガ（Ｏｓｔｒｉｎｉａ  ｆｕｒｎａｃａｌｉｓ）、ハイマダラノメイガ（Ｈｅｌｌｕｌａ  ｕｎｄａｌｉｓ）、シバツトガ（Ｐｅｄｉａｓｉａ  ｔｅｔｅｒｒｅｌｌｕｓ）、ヨーロピアンコーンボーラー（Ｏｓｔｒｉｎｉａ  ｎｕｂｉｌａｒｉｓ）等のメイガ類、ハスモンヨトウ（Ｓｐｏｄｏｐｔｅｒａ  ｌｉｔｕｒａ）、タマナヤガ（Ａｇｒｏｔｉｓ  ｉｐｓｉｌｏｎ）等のヤガ類、モンシロチョウ（Ｐｉｅｒｉｓ  ｒａｐａｅ）等のシロチョウ類、コドリンガ（Ｃｙｄｉａ  ｐｏｍｏｎｅｌｌａ）等のハマキガ類、コナガ（Ｐｌｕｔｅｌｌａ  ｘｙｌｏｓｔｅｌｌａ）等のスガ類、及びジャガイモガ（Ｐｈｔｈｏｒｉｍａｅａ  ｏｐｅｒｃｕｌｅｌｌａ）等のキバガ類。
アザミウマ目害虫：ミカンキイロアザミウマ（Ｆｒａｎｋｌｉｎｉｅｌｌａ  ｏｃｃｉｄｅｎｔａｌｉｓ）、ミナミキイロアザミウマ（Ｔｈｒｉｐｓ  ｐａｒｍｉ）、チャノキイロアザミウマ（Ｓｃｉｒｔｏｔｈｒｉｐｓ  ｄｏｒｓａｌｉｓ）、ネギアザミウマ（Ｔｈｒｉｐｓ  ｔａｂａｃｉ）、ヒラズハナアザミウマ（Ｆｒａｎｋｌｉｎｉｅｌｌａ  ｉｎｔｏｎｓａ）、タバコアザミウマ（Ｆｒａｎｋｌｉｎｉｅｌｌａ  ｆｕｓｃａ）等のアザミウマ類。
双翅目害虫：タネバエ（Ｄｅｌｉａ  ｐｌａｔｕｒａ）、タマネギバエ（Ｄｅｌｉａ  ａｎｔｉｑｕａ）等のハナバエ類、及びトマトハモグリバエ、（Ｌｉｒｉｏｍｙｚａ  ｓａｔｉｖａｅ）、マメハモグリバエ（Ｌｉｒｉｏｍｙｚａ  ｔｒｉｆｏｌｉｉ）、ナモグリバエ（Ｃｈｒｏｍａｔｏｍｙｉａ  ｈｏｒｔｉｃｏｌａ）等のハモグリバエ類。
鞘翅目害虫：ウエスタンコーンルートワーム（Ｄｉａｂｒｏｔｉｃａ  ｖｉｒｇｉｆｅｒａ  ｖｉｒｇｉｆｅｒａ）、サザンコーンルートワーム（Ｄｉａｂｒｏｔｉｃａ  ｕｎｄｅｃｉｍｐｕｎｃｔａｔａ  ｈｏｗａｒｄｉ）等のコーンルートワーム類（Ｄｉａｂｒｏｔｉｃａ  ｓｐｐ．）、ドウガネブイブイ（Ａｎｏｍａｌａ  ｃｕｐｒｅａ）、アオドウガネ（Ａｎｏｍａｌａ  ａｌｂｏｐｉｌｏｓａ）、ヒメコガネ（Ａｎｏｍａｌａ  ｒｕｆｏｃｕｐｒｅａ）、マメコガネ（Ｐｏｐｉｌｌｉａ  ｊａｐｏｎｉｃａ）等のコガネムシ類、トビイロヒョウタンゾウムシ（Ｓｐｈｅｎｏｐｈｏｒｕｓ  ｕｎｉｆｏｒｍｉｓ）等のゾウムシ類、ウリハムシ（Ａｕｌａｃｏｐｈｏｒａ  ｆｅｍｏｒａｌｉｓ）、コロラドハムシ（Ｌｅｐｔｉｎｏｔａｒｓａ  ｄｅｃｅｍｌｉｎｅａｔａ）等のハムシ類、及びコメツキムシ類（Ａｇｒｉｏｔｅｓ  ｓｐｐ．）。
線虫類：サツマイモネコブセンチュウ（Ｍｅｌｏｉｄｏｇｙｎｅ  ｉｎｃｏｇｎｉｔａ）、ジャワネコブセンチュウ（Ｍｅｌｏｉｄｏｇｙｎｅ  ｊａｖａｎｉｃａ）、キタネコブセンチュウ（Ｍｅｌｏｉｄｏｇｙｎｅ  ｈａｐｌａ）、アレナリアネコブセンチュウ（Ｍｅｌｏｉｄｏｇｙｎｅ  ａｒｅｎａｒｉａ）、 ナンヨウネコブセンチュウ（Ｍｅｌｏｉｄｏｇｙｎｅ  ｍｉｃｒｏｃｅｐｈａｌａ）等のＭｅｌｏｉｄｏｇｙｎｅ属線虫類、イモグサレセンチュウ（Ｄｉｔｙｌｅｌｅｎｃｈｕｓ  ｄｅｓｔｒｕｃｔｏｒ）、ナミクキセンチュウ（Ｄｉｔｙｌｅｌｅｎｃｈｕｓ  ｄｉｐｓａｃｉ）等のＤｉｔｙｌｅｌｅｎｃｈｕｓ属線虫類、ミナミネグサレセンチュウ（Ｐｒａｔｙｌｅｎｃｈｕｓ  ｃｆｆｅａｅ）、キタネグサレセンチュウ（Ｐｒａｔｙｌｅｎｃｈｕｓ  ｐｅｎｅｔｒａｎｓ）、クルミネグサレセンチュウ（Ｐｒａｔｙｌｅｎｃｈｕｓ  ｖｕｌｎｕｓ）、ムギネグサレセンチュウ（Ｐｒａｔｙｌｅｎｃｈｕｓ  ｎｅｇｌｅｃｔｕｓ）、チャネグサレセンチュウ（Ｐｒａｔｙｌｅｎｃｈｕｓ  ｌｏｏｓｉ）等のＰｒａｔｙｌｅｎｃｈｕｓ属線虫類、ジャガイモシストセンチュウ（Ｇｌｏｂｏｄｅｒａ  ｒｏｓｔｏｃｈｉｅｎｓｉｓ）、ジャガイモシロシストセンチュウ（Ｇｌｏｂｏｄｅｒａ  ｐａｌｌｉｄａ）等のＧｌｏｂｏｄｅｒａ属線虫類、ダイズシストセンチュウ（Ｈｅｔｅｒｏｄｅｒａ  ｇｌｙｃｉｎｅｓ）、テンサイシストセンチュウ（Ｈｅｔｅｒｏｄｅｒａ  ｓｈａｃｈｔｏｉｉ）等のＨｅｔｅｒｏｄｅｒａ属線虫類、ハガレセンチュウ（Ａｐｈｅｌｅｎｃｈｏｉｄｅｓ  ｒｉｔｚｅｍａｂｏｓｉ）等のＡｐｈｅｌｅｎｃｈｏｉｄｅｓ属線虫類、バナナネモグリセンチュウ（Ｒａｄｏｐｈｏｌｕｓ ｓｉｍｉｌｉｓ）、カンキツネモグリセンチュウ（Ｒａｄｏｐｈｏｌｕｓ  ｃｉｔｒｏｐｈｉｌｕｓ）等のＲａｄｏｐｈｏｌｕｓ属線虫類、ミカンネセンチュウ（Ｔｙｌｅｎｃｈｕｌｕｓ  ｓｅｍｉｐｅｎｅｔｒａｎｓ）等のＴｙｌｅｎｃｈｕｌｕｓ属線虫類、ニセフクロセンチュウ（Ｒｏｔｙｌｅｎｃｈｕｌｕｓ  ｒｅｎｉｆｏｒｍｉｓ）等のＲｏｔｙｌｅｎｃｈｕｌｕｓ属線虫類、イチゴメセンチュウ（Ｎｏｔｈｏｔｙｌｅｎｃｈｕｓ  ａｃｒｉｓ）等のＤｉｔｙｌｅｎｃｈｕｓ属線虫類、ニセネコブセンチュウ（Ｎａｃｏｂｂｕｓ  ａｂｅｒｒａｎｓ）等のＮａｃｏｂｂｕｓ属線虫類、カナヤサヤワセンチュウ（Ｈｅｍｉｃｒｉｃｏｎｅｍｏｉｄｅｓ  ｋａｎａｙａｅｎｓｉｓ）等のＨｅｍｉｃｒｉｃｏｎｅｍｏｉｄｅｓ属線虫類等。
【００２１】
本発明は、上記の有害生物の中でも、昆虫類としては、アブラムシ類、コナジラミ類、メイガ類、ヤガ類、スガ類、アザミウマ類、ハモグリバエ類、コガネムシ類及びコメツキムシ類、線虫類としては、サツマイモネコブセンチュウ、キタネコブセンチュウ、アレナリアネコブセンチュウ、ミナミネグサレセンチュウ、キタネグサレセンチュウ及びジャガイモシストセンチュウの防除方法として好適であり、殊にアブラムシ類、スガ類、ヤガ類、コガネムシ類及びサツマイモネコブセンチュウの防除方法として好適である。
【実施例】
【００２２】
以下、本発明を試験例にてさらに詳しく説明するが、本発明は以下の例のみに限定されるものではない。
【００２３】
以下の試験例で用いたフルオピラム２．０％粒剤（後に定義する。）及び本化合物（１）２．０％粒剤（後に定義する。）は、それぞれ次の方法にて作製した。
６ｍｌ容量のガラス製スクリュー管（株式会社マルエム製）に、フルオピラム又は本化合物（１）５０．５ｍｇとアセトン（和光純薬工業株式会社製）１００ｍｇとを加え、蓋をして超音波を照射し、フルオピラム及びアセトンの混合液と、本化合物（１）及びアセトンの混合液とを、それぞれ得た。
次に、６ｍｌ容量のガラス製スクリュー管（株式会社マルエム製）に、セラミックス多孔体（製品名：ＡＰＬＳ  Ｎ、成分としてシリカ（ＣＡＳ Ｎｏ．７６３１−８６−９）、酸化アルミニウム（ＣＡＳ Ｎｏ．１３４４−２８−１）及び酸化鉄（ＣＡＳ Ｎｏ．１３０９−３７−１）を含有、イソライト工業株式会社製）２．４４９５ｇを入れ、そこへ前記の混合液１５０．５ｍｇを２回に分けて常温で添加し、蓋をして十分に混合して含浸させた。その後、蓋を外し、常温で６時間、アセトンを風乾により蒸発させ、フルオピラムを２重量％含有する粒剤（以下、フルオピラム２．０％粒剤と記す）２．５ｇと、本化合物（１）を２重量％含有する粒剤（以下、本化合物（１）２．０％粒剤と記す）２．５ｇとを、それぞれ得た。
【００２４】
試験例１
イミダクロプリド１．０％粒剤（製品名：アドマイヤー１粒剤、バイエルクロップサイエンス株式会社製）、チアメトキサム０．５％粒剤（製品名：アクタラ粒剤５、シンジェンタジャパン株式会社製）、フルオピラム２．０％粒剤及び本化合物（１）２．０％粒剤を、下記の表１に示される量用いて混合し、試験用製剤（混合粒剤）１−１〜２−２をそれぞれ得た。混合は、２０ｍｌ容量のガラス製スクリュー管（株式会社マルエム製）内で行った。
８６０ｍｌ容量のプラスチック製カップ（カップ上面の表面積は約１／１００００ａ）に、土壌７００ｇを充填し、水を１５０ｍｌ加えて十分に混和し、栽培用土壌を準備した。各カップ内の栽培用土壌の表面に、各有効成分の１０ａあたりの処理量が表２又は表３に記載の通りになるように、粒剤を均一に置き、栽培用土壌と十分に混和した（全面処理土壌混和）。なお、混和した土壌の深度は約７ｃｍとした。直ちに、カップ内の栽培用土壌の中心線（直径）に沿って深度約５ｃｍの溝を形成し、当該溝にサツマイモのつるを植え付け、室内（２５℃）に置いた。植え付け（粒剤の土壌混和処理）７日後に、ハスモンヨトウの２齢幼虫を１０頭放飼し、供試した虫の逃亡を防ぐため地上部全体にプラスチック製カップを被せた。これを処理区Ａと呼ぶ。
処理区Ａと同様に粒剤を土壌混和処理した後、直ちに、栽培用土壌の表面をポリエチレン製の黒マルチ（積水フィルム株式会社製）で覆い、カップ内の栽培用土壌の中心線（直径）に沿って深度約５ｃｍの溝を形成し（溝を形成し易いように、溝形成前に黒マルチには切込みを入れておいた）、当該溝にサツマイモのつるを植え付け、室内（２５℃）に置いた。それ以外は処理区Ａと同様の操作を行った。これを処理区Ｂと呼ぶ。
イミダクロプリド５０％顆粒水和剤（製品名：アドマイヤー顆粒水和剤、バイエルクロップサイエンス株式会社製）、及びチアメトキサム１０％顆粒水溶剤（製品名：アクタラ顆粒水溶剤、シンジェンタジャパン株式会社製）をそれぞれ所定濃度になるように水と混合し、イミダクロプリド含有薬液及びチアメトキサム含有薬液をそれぞれ得た。フルオピラム及び本化合物（１）については、それぞれポリオキシエチレンヤシ油脂肪酸ソルビタン(２０Ｅ．Ｏ．)（ソルゲンＴＷ−２０、第一工業製薬株式会社製）を５％（ｗ／ｖ）含むアセトン（和光純薬工業製）と混合して得られた混合液を（有効成分１ｍｇあたりのアセトン量は０．１ｍｌ）、それぞれ所定濃度になるように水と混合し、フルオピラム含有薬液及び本化合物（１）含有薬液をそれぞれ得た。これらの薬液からさらに、イミダクロプリド及びフルオピラムの混合薬液、並びにチアメトキサム及び本化合物（１）の混合薬液をそれぞれ調製した。
８６０ｍｌ容量のプラスチック製カップ（カップ上面の表面積は約１／１００００ａ）に、土壌７００ｇを充填し、水を１４０ｍｌ加えて十分に混和し、栽培用土壌を準備した。各カップ内の栽培用土壌の中心線（直径）に沿って深度約５ｃｍの溝を形成し、当該溝にサツマイモのつるを植え付け、直ちに、各カップ内の栽培用土壌に、各有効成分の１０ａあたりの処理量が表２又は表３に記載の通りになるように薬液１０ｍｌを潅注処理し、室内（２５℃）に置いた。潅注処理は、サツマイモの植え付け位置を中心として半径２〜３ｃｍ程度の円を描くように、土壌表面にピペットを用いて行った。植え付け（薬液の土壌潅注処理）７日後に、ハスモンヨトウの２齢幼虫を１０頭放飼し、地上部全体にプラスチック製カップを被せた。これを処理区Ｃと呼ぶ。
また、８６０ｍｌ容量のプラスチック製カップ（カップ上面の表面積は約１／１００００ａ）に、土壌７００ｇを充填し、各有効成分の１０ａあたりの処理量が表２又は表３に記載の通りになるように、薬液１０ｍｌと水１４０ｍｌとを加えて十分に混和し、栽培用土壌を準備した。薬液を土壌混和処理した以外は処理区Ａと同様の操作を行った。これを処理区Ｄと呼ぶ。
一方、薬剤を処理しなかったこと以外は処理区Ａと同様に、サツマイモのつるを植え付け、室内に置き、植え付け７日後にハスモンヨトウの２齢幼虫を１０頭放飼し、地上部全体にプラスチック製カップを被せた。これを無処理区と呼ぶ。
放飼４日後に供試した虫の生死を観察した。その観察結果から、式１）によって死虫率、式２）によって補正死虫率をそれぞれ算出した。その補正死虫率を表２及び表３に示す。なお、試験は２反復で行った。
式１）；死虫率（％）＝｛（供試虫数−生存虫数）／供試虫数｝×１００
式２）；補正死虫率（％）＝｛（処理区Ａ、Ｂ、Ｃ又はＤの死虫率−無処理区死虫率）／（１００−無処理区死虫率）｝×１００
また、次の各々の表における１０ａとの記載は、１０アール（１０ａｒｅ）を意味する。
【００２５】
【表１】
2019037250.tif 000003
【００２６】
【表２】
2019037250.tif 000004
【００２７】
【表３】
2019037250.tif 000005
【００２８】
試験例２
クロチアニジン０．５％粒剤（製品名：ダントツ粒剤、住友化学株式会社製）、イミダクロプリド１．０％粒剤（製品名：アドマイヤー１粒剤、バイエルクロップサイエンス株式会社製）及び本化合物（１）２．０％粒剤を、下記の表４に示される量用いて混合し、試験用製剤（混合粒剤）３−１〜４−２をそれぞれ得た。混合は、２０ｍｌ容量のガラス製スクリュー管（株式会社マルエム製）内で行った。
８６０ｍｌ容量のプラスチック製カップ（カップ上面の表面積は約１／１００００ａ）に、土壌７００ｇを充填し、水を１５０ｍｌ加えて十分に混和し、栽培用土壌を準備した。各カップ内の栽培用土壌の表面に、各有効成分の１０ａあたりの処理量が表５に記載の通りになるように、粒剤を均一に置き、栽培用土壌と十分に混和した（全面処理土壌混和）。なお、混和した土壌の深度は約７ｃｍとした。直ちに、カップ内の栽培用土壌の中心線（直径）に沿って深度約５ｃｍの溝を形成し、当該溝にサツマイモのつるを植え付け、室内（２５℃）に置いた。植え付け（粒剤の土壌混和処理）９日後に、ハスモンヨトウの１齢幼虫を１０頭放飼し、供試した虫の逃亡を防ぐため地上部全体にプラスチック製カップを被せた。これを処理区と呼ぶ。
一方、薬剤を処理しなかったこと以外は処理区と同様に、サツマイモのつるを植え付け、室内に置き、植え付け９日後にハスモンヨトウの１齢幼虫を１０頭放飼し、地上部全体にプラスチック製カップを被せた。これを無処理区と呼ぶ。
放飼５日後に供試した虫の生死を観察した。その観察結果から、前記の式１）によって死虫率、式３）によって補正死虫率をそれぞれ算出した。その補正死虫率を表５に示す。
なお、試験は２反復で行った。
式３）；補正死虫率（％）＝｛（処理区死虫率−無処理区死虫率）／（１００−無処理区死虫率）｝×１００
【００２９】
【表４】
2019037250.tif 000006
【００３０】
【表５】
2019037250.tif 000007
【００３１】
試験例３
８６０ｍｌ容量のプラスチック製カップ（カップ上面の表面積は約１／１００００ａ）に、土壌７００ｇを充填し、水を１５０ｍｌ加えて十分に混和し、栽培用土壌を準備した。各カップ内の栽培用土壌の表面に、各有効成分の１０ａあたりの処理量が表６に記載の通りになるように、粒剤（表１及び表４に記載の試験用製剤）を均一に置き、栽培用土壌と十分に混和した（全面処理土壌混和）。なお、混和した土壌の深度は約７ｃｍとした。
粒剤の土壌混和処理１０日後、カップ内の栽培用土壌の中心線（直径）に沿って深度約５ｃｍの溝を形成し、当該溝にサツマイモのつるを植え付け、室内（２５℃）に置いた。植え付け５日後に、ハスモンヨトウの１齢幼虫を１０頭放飼し、供試した虫の逃亡を防ぐため地上部全体にプラスチック製カップを被せた。これを処理区と呼ぶ。
一方、薬剤を処理しなかったこと以外は処理区と同様に、サツマイモのつるを植え付け、室内に置き、植え付け５日後にハスモンヨトウの１齢幼虫を１０頭放飼し、地上部全体にプラスチック製カップを被せた。これを無処理区と呼ぶ。
放飼５日後に供試した虫の生死を観察した。その観察結果から、前記の式１）によって死虫率、前記の式３）によって補正死虫率をそれぞれ算出した。その補正死虫率を表６に示す。なお、試験は２反復で行った。
【００３２】
【表６】
2019037250.tif 000008
【００３３】
試験例４
イミダクロプリド１．０％粒剤（製品名：アドマイヤー１粒剤、バイエルクロップサイエンス株式会社製）、本化合物（１）２．０％粒剤及びフルオピラム２．０％粒剤を、下記の表７に示される量用いて混合し、試験用製剤（混合粒剤）５−１〜６−２をそれぞれ得た。混合は、２０ｍｌ容量のガラス製スクリュー管（株式会社マルエム製）内で行った。
８６０ｍｌ容量のプラスチック製カップ（カップ上面の表面積は約１／１００００ａ）に、土壌７００ｇを充填し、水を１５０ｍｌ加えて十分に混和し、栽培用土壌を準備した。各カップ内の栽培用土壌の表面に、各有効成分の１０ａあたりの処理量が表８に記載の通りになるように、粒剤（表１、表４及び表７に記載の試験用製剤）を均一に置き、栽培用土壌と十分に混和した（全面処理土壌混和）。なお、混和した土壌の深度は約７ｃｍとした。直ちに、カップ内の栽培用土壌の中央部に深度約５ｃｍ、直径約４ｃｍの穴を開け、当該穴にジャガイモの塊茎を植え付け、室内（２５℃）に置いた。植え付け（粒剤の土壌混和処理）１５日後に、ワタアブラムシの２齢〜３齢幼虫を約２０頭放飼し、供試した虫の逃亡を防ぐため地上部全体にプラスチック製カップを被せた。これを処理区と呼ぶ。
一方、薬剤を処理しなかったこと以外は処理区と同様に、ジャガイモの塊茎を植え付け、室内に置き、植え付け１５日後にワタアブラムシの２齢〜３齢幼虫を約２０頭放飼し、地上部全体にプラスチック製カップを被せた。これを無処理区と呼ぶ。
放飼５日後に供試した虫の生死を観察した。その観察結果から、式４）によって防除価を算出した。その防除価を表８に示す。なお、試験は２反復で行った。
式４）； 防除価（％）＝１００×（１−処理区の観察時の生存虫数／無処理区の観察時の生存虫数）
【００３４】
【表７】
2019037250.tif 000009
【００３５】
【表８】
2019037250.tif 000010